(57)【要約】【課題】  拭き掃除が自由で楽にできる拭き易さと安定感が備わり、誰にでも簡単に使える単純なしくみで余計な手間や動作を省き、作業効率が上がり清掃時間の短縮にもなり、裏返す度に綺麗な雑巾が現れて衛生的で雑巾面積が広く、手に安全で便利な雑巾を提供する。【解決手段】  雑巾（１）を袋状に形成して、その袋の中に仕切り（２）で境界を設けて内部を複数に分割することを特徴とする。【選択図】図１
2019134912.tif 000002
【特許請求の範囲】
【請求項１】
雑巾（１）を袋状に形成して、その袋の中に仕切り（２）で境界を設けて内部を複数に分割することを特徴とする雑巾（１）。
【発明の詳細な説明】
【技術分野】
【０００１】  この発明は、拭き掃除に用いる雑巾に関するものである。
【背景技術】
【０００２】  従来、雑巾の形状は平面長方形が一般的であり、今でも最もよく使われている雑巾の形なのであるが、最近では他に、手に装着するものも使われている。
【先行技術文献】
【特許文献】
【０００３】
【特許文献１】特開２００６−０４３３５９号公報
【特許文献２】実開平０２−１２６５５２号公報
【発明の概要】
【発明が解決しようとする課題】
【０００４】  これは、次のような問題があった。【０００５】  平面長方形の雑巾で拭き掃除をする時は、対象物と雑巾との接地面積を広くして効率良く拭くために、雑巾の面積を広く使って拭く必要があるので、雑巾を折りたたまず広げた状態で、その平面上に広げた掌を合わせて、そして雑巾を動かして拭いていた。【０００６】  しかし、平面長方形の雑巾を広げて拭くためには、雑巾に合わせた掌を雑巾が広がるように指先まで力を入れ大きく広げて、その状態で雑巾を掌全体で強く握って拭かなければならないのだが、手が疲れてくると、雑巾が掌から外れてしまったり、また対象物の上で雑巾を巻物のように掌で丸めてしまうことがあり、平面長方形の雑巾を思い通りに動かして拭き掃除をすることは難しいことであった。【０００７】  更に、平面長方形の雑巾で垂直な壁を拭く時は、雑巾を落とさないように注意が必要であり、そのため前記の拭き方に加えて、雑巾を掌で壁へ押し当てながら拭かなければならないのだが、それは雑巾を広げたり、握ったり、壁へ押し当てたりと、手の力をかなり使うので、直ぐに手が疲れてきて握力も下がってしまい、それにより雑巾が掌から外れて落下してしまうことがあり、不安定で拭き辛く疲れるので作業に時間がかかり困ることが多かった。【０００８】  しかも、平面長方形の雑巾は表と裏の２面しかない為、拭いていると両面とも直ぐに汚れてしまうのが難点であり、そのため清掃中に何度も洗い直したり、または初めから雑巾を沢山用意して清掃後にまとめて洗っていたのだが、いずれの方法も手間と時間がかかるので非効率的であった。【０００９】  以上のように、平面長方形の雑巾では不自由で拭き掃除が簡単に行えず、大変な労力と手間と時間がかかり疲労も大きいので、拭き掃除に対しては前向きになれず、面倒に思う気持ちが強かった。【００１０】  他の雑巾では、手に装着する、手袋型やミトン型があり、どちらも手の周りを覆うので安定感はあるのだが、雑巾の面積が狭い上に、表と裏の２面しかない為、直ぐに両面とも汚れてしまうのであり、また表面の次に裏面を使用する際は、利き手ではない方の手に装着するので拭きにくかった。【００１１】  手に装着する雑巾で他には、特開２００６−０４３３５９号公報や、実開平０２−１２６５５２号公報があり、どちらも裏返すと裏面も使えるので２枚分の雑巾を使えることになるのだが、汚れのひどい場所だと２枚では十分ではなかった。【００１２】  本発明は、以上のような問題をなくすためになされたものである。
【課題を解決するための手段】
【００１３】  雑巾（１）を袋状に形成して、その袋の中に仕切り（２）で境界を設けて内部を複数に分割する。【００１４】  本発明は、以上の構成よりなる雑巾（１）である。
【発明の効果】
【００１５】  本発明を次のような形状にする。【００１６】  雑巾を縦長の袋状に形成し、袋の底をまるく形作り、袋の中に１枚の仕切りで境界を設けて内部を２つに分割し、袋の開口部を２箇所設ける。【００１７】  使用方法は、雑巾を水にぬらして絞り、いずれかの開口部から片手を挿入して、雑巾の内部から手を動かして拭き掃除をする。【００１８】  本発明は手の周りを覆うので、手と一体感があり、そのため拭く時に力が要らず、手を楽に動かすことができるので、拭き易く安定感があるのである。【００１９】  平面長方形の雑巾では、雑巾を手で強く握りながら拭いていたが、本発明は雑巾を手にはめて拭くので、雑巾を握らなくてもよくなり、これによって手がとても楽になり自由に軽々と雑巾を動かすことができるのである。【００２０】  そして、本発明は袋の中で掌を大きく広げて拭いて行くので、平面長方形の雑巾のように雑巾を手の力で広げなくても、自然と雑巾が広がるのであり、そのため常に雑巾が広がった理想的な状態で、効率的に拭き掃除ができるのである。【００２１】  また、本発明は装着すると手と一体化するので、平面長方形の雑巾で拭く時のように、雑巾が掌から外れてしまったり、雑巾を巻物のように掌で丸めてしまうようなことがないので、安心して拭き掃除ができるのである。【００２２】  壁を拭く時には、平面長方形の雑巾では手が疲れて雑巾を落としてしまうことがあったが、本発明は拭く時に雑巾を広げたり、握ったり、壁へ押し当てたりと、力を加えることがないので手が疲れず、また雑巾と手が一体なので落下することもないのであり、よって本発明で壁を拭く時は、雑巾を壁に軽く当てて力を入れずに拭くだけでよいので、壁の拭き掃除が容易となり、まるで素手で拭いているように感じるほど雑巾を思い通りに動かせるので、作業効率が良くなり、清掃時間の短縮にもなるのである。【００２３】  そして、本発明は左右どちらの手にも装着できる形状なので、広範囲の拭き掃除には、本発明を両手に１枚ずつ装着すると、片手だけ装着するよりも、作業が２倍の速さで進むので効率的である。【００２４】  更に、本発明は清掃中に表裏両面ともが汚れてしまっても、開口部の中の雑巾の内面を外へ裏返すと、同型の綺麗な雑巾が一瞬で現れるので、作業を中断することなく直ぐに続行できるのである。【００２５】  本発明は開口部が２箇所あるので、２回裏返すことができ、綺麗な雑巾が２枚出てくるので、本発明１枚で合計３枚の雑巾を使えるのであり、平面長方形の雑巾１枚だと途中で２度も洗い直さないと３枚分使えないので、本発明はその２度の洗浄にかかる時間と手間が省けて効率的であり、汚れても綺麗な雑巾に２度も変えられるので、衛生的で安心感があるのである。【００２６】  また、本発明の袋の底をまるい形状にする理由は、底が角のないまるい形状であると、一瞬で完全に裏返すことができるからであり、こうすることで作業が途切れずに３枚の雑巾を連続で使用できるのである。【００２７】  そして、本発明は袋の底がまるい形状であるから、袋の中で掌の５本の指が窮屈にならずに目一杯大きく広げることができるのであり、それゆえ雑巾を自由自在に動かすことができるので、どのような物でも楽に拭くことができ、その���雑巾で手の周りが保護されているので、狭い隙間や鋭利な部分も怪我をせずに安全に拭くことができるのである。【００２８】  本発明で飲食店のテーブルの後片付けをする場合、まずテーブルの食べこぼしを急いで集め、集めたものを全て雑巾で掴み、掴んだまま素早く裏返して、そして出てきた綺麗な雑巾で再度テーブルを拭き直せば、手際良く後片付けを終えることができるのであり、その様子は他の客が見ることも多いので、清潔感と仕事の速さが伝わり好印象である。【００２９】  また、ベランダの扉の網戸は汚れがひどく、平面長方形の雑巾だと２枚用意して拭いても雑巾がまだ黒くなってしまうのであるが、本発明であれば１枚だけで３枚分の雑巾が使えるので、網戸が綺麗になるまで拭くことができるのと、網戸は垂直なため平面長方形の雑巾では拭き辛く時間がかかっていたが、本発明なら拭き易いので短時間で拭くことができるのである。【００３０】  更に、本発明は形状が単純なので誰にでも使い易く、手を守る安全な作りとなっているので子供が使用しても安心であり、洗浄も簡単である為、大掃除に家族で本発明を使えば作業がはかどり効率的である。【００３１】  これまで面倒であった拭き掃除だが、本発明は雑巾らしからぬ可愛らしい形状な上に、拭き易くて手間や時間がかからず疲れないので、面倒と思わなくなり、前向きな楽しい気持ちで拭き掃除ができるのである。【００３２】  すなわち、本発明は拭き掃除の無駄な動作や手間をなくして、雑巾の機能を効率的に発揮できるようにしたものであり、本発明により雑巾の問題点が全て解決されるのである。
【図面の簡単な説明】
【００３３】
【図１】  第１実施例に示す雑巾に片手を挿入した際の説明図である。
【図２】  第２実施例に示す雑巾に両手を挿入した際の説明図である。
【図３】  第３実施例に示す雑巾の説明図である。
【図４】  平面長方形の雑巾の説明図である。
【発明を実施するための形態】
【００３４】  以下、本発明を実施するための形態について説明する。
【００３５】  （第１実施例）
図１は本発明の第１実施例の雑巾（１）に、片手を挿入した様子を示したものである。
【００３６】  第１実施例の本発明は、雑巾（１）を縦長の袋状に形成し、袋の底（５）をまるく形作り、袋の中に１枚の仕切り（２）で境界を設けて内部を２つに分割し、袋の開口部（３）を２箇所設けた、片手用の雑巾（１）である。
【００３７】  本発明を使用する時は、雑巾（１）を水にぬらして絞り、いずれかの開口部（３）から手（４）を挿入して、雑巾（１）の内部から手（４）を動かして拭き掃除をする。
【００３８】  本発明は清掃中に表裏両面ともが汚れてしまっても、開口部（３）の中の雑巾（１）の内面を外へ裏返すと、同型の綺麗な雑巾（１）が一瞬で現れるので、作業を中断することなく直ぐに続行できるのである。
【００３９】  第１実施例の本発明は、開口部（３）が２箇所あるので、２回裏返すことができ、綺麗な雑巾（１）を２枚使えるので、１枚の雑巾（１）でありながら、合計３枚の雑巾（１）で拭き掃除ができるのである。
【００４０】  図４に示すのは、一般的な平面長方形の雑巾（６）であり、第１実施例の本発明は、この平面長方形の雑巾（６）３枚分を、１枚にまとめた雑巾（１）なのである。
【００４１】  本発明１枚で使用できる雑巾（１）の合計枚数は、仕切り（２）の枚数によって決まるのであり、それは仕切り（２）の枚数に２を足した数が、使用できる雑巾（１）の合計枚数となるからである。
【００４２】  （第２実施例）
図２は本発明の第２実施例の雑巾（１）に、両手を挿入した様子を示したものである。
【００４３】  第２実施例の本発明は、雑巾（１）を横長の袋状に形成し、袋の底（５）をまるく形作り、袋の中に１枚の仕切り（２）で境界を設けて内部を２つに分割し、袋の開口部（３）を２箇所設けた、両手用の雑巾（１）である。
【００４４】  第２実施例の本発明であると、長い廊下の床をかがんだ姿勢で前進しながら拭く時に、早く効率的に拭いて行けるので適している。
【００４５】  （第３実施例）
図３は本発明の第３実施例の雑巾（１）を示したものである。
【００４６】  第３実施例の本発明は、雑巾（１）を縦長の袋状に形成し、袋の底（５）をまるく形作り、袋の中に３枚の仕切り（２）で境界を設けて内部を４つに分割し、袋の開口部（３）を４箇所設けた、片手用の雑巾（１）である。
【００４７】  第３実施例の本発明は、仕切り（２）が３枚であり、仕切り（２）の枚数の３に２を足した数が使用できる雑巾（１）の合計枚数となるので、合計５枚の雑巾（１）を使うことができるのである。
【００４８】  ５枚の雑巾（１）で拭き掃除をするということは、平面長方形の雑巾（６）なら、５枚用意して、清掃中には４度も雑巾（１）の取り替えに中断して、洗浄は５枚を順に洗わなければならず、大変な作業であったが、第３実施例の本発明であると、１枚だけ用意して、清掃中の雑巾（１）の取り替えは全て一瞬で済むので作業を中断せずに済み、洗浄は５枚分を一度に洗えるので簡単であり、しかも拭き易くて手が疲れないので、大変な作業ではないのである。
【００４９】  本発明の布の素材は種類を問わず、天然繊維、化学繊維、混紡繊維、不織布、紙など、どのような材質でも可能であり、素材によって水拭きや、乾拭きなど、拭き方が変わるので、本発明は拭き方に関しても不問とする。
【００５０】  本発明は、形状、大きさ、仕切り（２）の枚数、に指定がなく、自由に決めることができるので、以上の第１実施例から第３実施例までは本発明のほんの３例にすぎず、本発明はこの３種類に限定するものではないのであり、それは清掃場所の状況は様々である為、本発明は多くの種類を用意して、それぞれの清掃場所に合う雑巾（１）を提供したいからである。
【符号の説明】
【００５１】    １    雑巾
２    仕切り
３    開口部
４    手
５    底
６    平面長方形の雑巾
【図１】
2019134912.tif 000003
【図２】
2019134912.tif 000004
【図３】
2019134912.tif 000005
【図４】
2019134912.tif 000006